(57)【要約】【課題】保冷・保温効果が高い立体カラーグレアパターンの容器を提供する。【解決手段】保冷・保温効果が高い立体カラーグレアパターンの容器は、容器本体内層１と、容器本体内層１と結合された立体カラーグレアパターン外層２とを含む。容器本体内層１は、中空微小球１２が混合された射出プラスチック材料１１からなる。立体カラーグレアパターン外層２は、発泡底材層２１、底材層２２、反射性層２３、印刷層２４及び凹凸パターン２５を含み、発泡底材層２１、底材層２２、反射性層２３が順次積層されて一体化され、発泡底材層２１、底材層２２及び反射性層２３が結合一体化された後、凹凸パターン２５が熱圧着される。印刷層２２は、凹凸パターン２５が形成された後に、反射性層２３上に積層される。【選択図】図１
0003201238.tif 000002
【実用新案登録請求の範囲】
【請求項１】
容器本体内層と、前記容器本体内層と結合された立体カラーグレアパターン外層と、を含む、保冷・保温効果が高い立体カラーグレアパターンの容器であって、
前記容器本体内層は、中空微小球が混合された射出プラスチック材料からなり、
前記立体カラーグレアパターン外層は、発泡底材層、底材層、反射性層、印刷層及び凹凸パターンを含み、前記発泡底材層、前記底材層、前記反射性層が順次積層されて一体化され、前記発泡底材層、前記底材層及び前記反射性層が結合一体化された後、前記凹凸パターンが熱圧着され、前記印刷層は、前記凹凸パターンが形成された後に、前記反射性層上に積層されることを特徴とする、
保冷・保温効果が高い立体カラーグレアパターンの容器。
【請求項２】
前記射出プラスチック材料は、ポリプロピレン（ＰＰ）、アクリロニトリル−ブタジエン−スチレン（ＡＢＳ）、ポリスチレン（ＰＳ）、ポリカーボネート（ＰＣ）、アクリル（ＰＭＭＡ）又はＥＶＡ（Ｅｔｈｙｌｅｎｅｖｉｎｙｌ  Ａｃｅｔａｔｅ  Ｃｏｐｏｌｙｍｅｒ）からなり、前記中空微小球は、二酸化ケイ素（ＳｉＯ２）及びＡｌ２Ｏ３が１４００℃で高温焼成されて形成されることを特徴とする、請求項１に記載の保冷・保温効果が高い立体カラーグレアパターンの容器。
【請求項３】
前記発泡底材層は、前記射出プラスチック材料に対応したポリプロピレン発泡材、アクリロニトリル−ブタジエン−スチレン発泡材、ポリスチレン発泡材、ポリカーボネート発泡材、アクリル発泡材又はＥＶＡ発泡材からなり、前記底材層は、ＥＶＡ又はポリプロピレンからなることを特徴とする、請求項２に記載の保冷・保温効果が高い立体カラーグレアパターンの容器。
【考案の詳細な説明】
【技術分野】
【０００１】
本考案は、容器に関し、特に、保冷・保温効果が高い立体カラーグレアパターンの容器に関する。
【背景技術】
【０００２】
発泡スチロールは、石油を精製して得たポリスチレン（ｐｏｌｙｓｔｙｒｅｎｅ：ＰＳ）に発泡材を加え、加熱製造した材料である。発泡スチロールは、体積の９０〜９５％が空気であるため、軽量、低吸水性、高衝撃性、高保温、高断熱である特長を有し、例えば、使い捨て食器、飲料容器、電気製品の衝撃吸収材など、様々な種類の包装材に広く応用される。
【０００３】
しかし、発泡スチロールは自然環境で分解され難いため、廃棄された発泡スチロールを埋設処理することは適切でない上、発泡スチロールを加熱するとスチレンモノマーなどの有毒物質が発生し、体内に長期間蓄積されるとガンが発症する虞がある。
また、発泡スチロールの容器に酸性又は高温の飲み物が注ぎ入れられると、有毒物質が溶け出してガンが発症する危険性が高まる。そのため、ヨーロッパの多くの国では発泡スチロールの使用を全面的に禁止している。
【０００４】
従来市販されている複合容器は、紙製容器の内壁面に、保冷、保温効果を有する発泡層が結合されている。しかし、このような複合容器の場合、発泡スチロール容器が受ける酸性又は過熱した液体により有毒物質が溶け出し、人体に害をおよぼす虞があった。また発泡層が紙製容器の内壁面に結合されているため、回収及び分別を行うことが困難である問題点を有する。
【考案の概要】
【考案が解決しようとする課題】
【０００５】
本考案の主な目的は、保冷・保温効果が高い容器を提供することにある。
本考案のもう一つの目的は、立体カラーグレアパターンの容器を提供することにある。
【課題を解決するための手段】
【０００６】
上記課題を解決するための本考案の第１の形態によれば、容器本体内層と、前記容器本体内層と結合された立体カラーグレアパターン外層と、を含む、保冷・保温効果が高い立体カラーグレアパターンの容器であって、前記容器本体内層は、中空微小球が混合された射出プラスチック材料からなり、前記立体カラーグレアパターン外層は、発泡底材層、底材層、反射性層、印刷層及び凹凸パターンを含み、前記発泡底材層、前記底材層、前記反射性層が順次積層されて一体化され、前記発泡底材層、前記底材層及び前記反射性層が結合一体化された後、前記凹凸パターンが熱圧着され、前記印刷層は、前記凹凸パターンが形成された後に、前記反射性層上に積層されることを特徴とする、保冷・保温効果が高い立体カラーグレアパターンの容器が提供される。
【０００７】
前記射出プラスチック材料は、ポリプロピレン（ＰＰ）、アクリロニトリル−ブタジエン−スチレン（ＡＢＳ）、ポリスチレン（ＰＳ）、ポリカーボネート（ＰＣ）、アクリル（ＰＭＭＡ）又はＥＶＡ（Ｅｔｈｙｌｅｎｅｖｉｎｙｌ  Ａｃｅｔａｔｅ  Ｃｏｐｏｌｙｍｅｒ）からなり、前記中空微小球は、二酸化ケイ素（ＳｉＯ２）及びＡｌ２Ｏ３が１４００℃で高温焼成されて形成されることが好ましい。
【０００８】
前記発泡底材層は、前記射出プラスチック材料に対応したポリプロピレン発泡材、アクリロニトリル−ブタジエン−スチレン発泡材、ポリスチレン発泡材、ポリカーボネート発泡材、アクリル発泡材又はＥＶＡ発泡材からなり、前記底材層は、ＥＶＡ又はポリプロピレンからなることが好ましい。
【考案の効果】
【０００９】
本考案の保冷・保温効果が高い立体カラーグレアパターンの容器は、保冷・保温効果が高い上、立体的なカラーグレアパターンを提供する。
【図面の簡単な説明】
【００１０】
【図１】本考案の一実施形態に係る保冷・保温効果が高い立体カラーグレアパターンの容器の断面拡大図である。
【図２】本考案の一実施形態に係る保冷・保温効果が高い立体カラーグレアパターンの容器を製作するときの状態を示す断面図である。
【図３】本考案の一実施形態に係る保冷・保温効果が高い立体カラーグレアパターンの容器を示す斜視図である。
【考案を実施するための形態】
【００１１】
以下、本考案の実施形態について図に基づいて説明する。なお、これによって本考案が限定されるものではない。
【００１２】
図１を参照する。図１は、本考案の一実施形態に係る保冷・保温効果が高い立体カラーグレアパターンの容器の断面拡大図である。図１に示すように、本考案の一実施形態に係る保冷・保温効果が高い立体カラーグレアパターンの容器は、容器本体内層１と、容器本体内層１と結合された立体カラーグレアパターン外層２と、を含む。
【００１３】
容器本体内層１は、中空微小球１２が混合された射出プラスチック材料１１からなり、周壁内に含まれる中空微小球１２により断熱し、保温・保冷効果を得る。
【００１４】
立体カラーグレアパターン外層２は、発泡底材層２１、底材層２２、反射性層２３、印刷層２４及び凹凸パターン２５を含む。
【００１５】
射出プラスチック材料１１は、ポリプロピレン（ＰＰ）、アクリロニトリル−ブタジエン−スチレン（ＡＢＳ）、ポリスチレン（ＰＳ）、ポリカーボネート（ＰＣ）、アクリル（ＰＭＭＡ）又はＥＶＡ（Ｅｔｈｙｌｅｎｅｖｉｎｙｌ  Ａｃｅｔａｔｅ  Ｃｏｐｏｌｙｍｅｒ）からなる。
【００１６】
中空微小球１２は、二酸化ケイ素（ＳｉＯ２）及びＡｌ２Ｏ３が１４００℃で高温焼成されて形成される。
【００１７】
発泡底材層２１、底材層２２、反射性層２３、印刷層２４は順次積層される。凹凸パターン２５は、発泡底材層２１、底材層２２及び反射性層２３が順次積層されて結合一体化された後、金型により熱圧すると、すでに積層されて一体化された発泡底材層２１、底材層２２及び反射性層２３上に凹凸パターン２５が形成される。印刷層２４は、凹凸パターン２５が形成された後に、反射性層２３上に積層され、立体カラーグレアパターン効果を有する容器外層が形成される。
【００１８】
発泡底材層２１は、射出プラスチック材料１１の材料に対応した、ポリプロピレン発泡材、アクリロニトリル−ブタジエン−スチレン発泡材、ポリスチレン発泡材、ポリカーボネート発泡材、アクリル発泡材又はＥＶＡ発泡材からなってもよい。
【００１９】
底材層２２は、ＥＶＡ又はポリプロピレンからなってもよい。
【００２０】
反射性層２３は、ポリエチレンテレフタレート（ｐｏｌｙｅｔｈｙｌｅｎｅ  ｔｅｒｅｐｈｔｈａｌａｔｅ）からなるフィルムであり、表面に電解メッキにより形成された膜層により光反射機能を得てもよい。
【００２１】
図２を参照する。図２は、本考案の一実施形態に係る保冷・保温効果が高い立体カラーグレアパターンの容器を製作するときの状態を示す断面図である。
本実施形態に係る保冷・保温効果が高い立体カラーグレアパターンの容器を実際に製作する際、まず、立体カラーグレアパターン外層２を形成してから、雌金型３２のキャビティ３２１中に立体カラーグレアパターン外層２を形成し、続いて雄金型３１と雌金型３２とを結合し、中空微小球１２が混合された射出プラスチック材料１１を投入口３２２から注入し、雄金型３１及び雌金型３２を外すと、容器本体内層１の外側に立体カラーグレアパターン外層２が形成され、立体カラーグレアパターンを有して保冷・保温効果が高い容器４が完成する（図３参照）。
【符号の説明】
【００２２】
１      容器本体内層
２      立体カラーグレアパターン外層
４      容器
１１    射出プラスチック材料
１２    中空微小球
２１    発泡底材層
２２    底材層
２３    反射性層
２４    印刷層
２５    凹凸パターン
３１    雄金型
３２    雌金型
３２１  キャビティ
３２２  投入口
【図１】
0003201238.tif 000003
【図２】
0003201238.tif 000004
【図３】
0003201238.tif 000005